【手続補正書】
【提出日】平成20年3月31日(2008.3.31)
【手続補正１】
【補正対象書類名】明細書
【補正対象項目名】発明の名称
【補正方法】変更
【補正の内容】
【発明の名称】画像処理装置及びその制御方法
【手続補正２】
【補正対象書類名】明細書
【補正対象項目名】特許請求の範囲
【補正方法】変更
【補正の内容】
【特許請求の範囲】
【請求項１】
画像データを蓄積するための蓄積手段を有する画像処理装置であって、
前記蓄積手段を複数のボックスに区分けし、複数のボックス毎にボックス名称情報及び当該ボックスに蓄積された画像データに関する情報を管理する管理手段と、
前記管理手段で管理している情報に従って前記複数のボックスの一覧をボックス名称とともにＷｅｂブラウザで表示させるための第１のＷｅｂページ及び前記複数のボックスの一覧に含まれるボックスの一つに蓄積されている画像データの一覧を示す第２のＷｅｂページを生成する生成手段と、
前記生成手段で生成した前記第１のＷｅｂページ及び前記第２のＷｅｂページを送信する送信手段と
を有することを特徴とする画像処理装置。
【請求項２】
前記管理手段が管理する前記画像データに関する情報として、当該画像データの入力源を示す画像タイプ情報、当該画像データの名称情報、当該画像データのサイズを示す画像サイズ情報、当該画像データの蓄積日時を示す日時情報のいずれかを含むことを特徴とする請求項１に記載の画像処理装置。
【請求項３】
前記第１のＷｅｂページは、前記複数のボックスのそれぞれに対応するリンク情報を含み、
前記送信手段は、前記第２のＷｅｂページとして前記リンク情報に基づき指定されたボックスの一つに蓄積されている画像データの一覧を示すページを送信することを特徴とする請求項１または２に記載の画像処理装置。
【請求項４】
画像を印刷する印刷手段をさらに有し、
前記印刷手段は、前記第２のＷｅｂページを介して指示された画像データに基づく画像を印刷することを特徴とする請求項１乃至３のいずれか１項に記載の画像処理装置。
【請求項５】
画像を印刷する印刷手段を有する画像処理装置であって、
前記印刷手段で印刷させるための印刷ジョブを複数蓄積する蓄積手段と、
前記蓄積手段で蓄積している複数の印刷ジョブの一覧を、各印刷ジョブの状態情報とともにＷｅｂブラウザで表示させるためのＷｅｂページであって、前記各印刷ジョブの状態情報の変更を、Ｗｅｂブラウザを介して指示可能なＷｅｂページを生成する生成手段と、
前記生成手段で生成したＷｅｂページを送信する送信手段と、
前記送信手段で送信したＷｅｂページに基づく指示を受信し、前記蓄積手段で蓄積している印刷ジョブの状態を変更する手段と
を有することを特徴とする画像処理装置。
【請求項６】
前記印刷ジョブの状態の変更は、印刷ジョブの一時中断、再開、プロモート、キャンセルのいずれかを含むことを特徴とする請求項５に記載の画像処理装置。
【請求項７】
さらに、画像データを指定された宛先に送信する画像送信手段を有し、前記生成手段は、前記画像送信手段で送信すべき画像データの宛先の変更を指示可能なＷｅｂページを生成することを特徴とする請求項５または６に記載の画像処理装置。
【請求項８】
画像データに基づく画像を印刷する印刷ジョブ、画像データを受信する受信ジョブ、画像データを送信する送信ジョブを実行可能な画像処理装置であって、
前記印刷ジョブ、前記受信ジョブ、前記送信ジョブをそれぞれジョブ種毎に管理する管理手段と、
前記印刷ジョブ、前記受信ジョブ、前記送信ジョブのそれぞれを指定する指定部と、前記管理手段で管理しているジョブの一覧をジョブ種毎にＷｅｂブラウザで表示させるためのＷｅｂページを生成する生成手段と、
前記生成手段で生成したＷｅｂページを送信する送信手段とを有することを特徴とする画像処理装置。
【請求項９】
前記生成手段は、前記指定部を含むフレームと前記ジョブの一覧を含むフレームとを有するＷｅｂページを生成することを特徴とする請求項８に記載の画像処理装置。
【請求項１０】
前記管理手段は、ジョブの状態、ジョブ所有者、ジョブの終了時刻の少なくとも１つを管理することを特徴とする請求項８または９に記載の画像処理装置。
【請求項１１】
画像データを蓄積するための蓄積手段を有する画像処理装置の制御方法であって、
前記蓄積手段を複数のボックスに区分けし、複数のボックス毎にボックス名称情報及び当該ボックスに蓄積された画像データに関する情報を管理する管理工程と、
前記管理工程で管理している情報に従って前記複数のボックスの一覧をボックス名称とともにＷｅｂブラウザで表示させるための第１のＷｅｂページ及び前記複数のボックスの一覧に含まれるボックスの一つに蓄積されている画像データの一覧を示す第２のＷｅｂページを生成する生成工程と、
前記生成工程で生成した前記第１のＷｅｂページ及び前記第２のＷｅｂページを送信する送信工程と
を有することを特徴とする画像処理装置の制御方法。
【請求項１２】
画像を印刷する印刷手段を有する画像処理装置の制御方法であって、
前記印刷手段で印刷させるための印刷ジョブを複数蓄積する蓄積工程と、
前記蓄積工程で蓄積した複数の印刷ジョブの一覧を、各印刷ジョブの状態情報とともにＷｅｂブラウザで表示させるためのＷｅｂページであって、前記各印刷ジョブの状態情報の変更を、Ｗｅｂブラウザを介して指示可能なＷｅｂページを生成する生成工程と、
前記生成工程で生成したＷｅｂページを送信する送信工程と、
前記送信工程で送信したＷｅｂページに基づく指示を受信し、前記蓄積工程で蓄積した印刷ジョブの状態を変更する工程と
を有することを特徴とする画像処理装置の制御方法。
【請求項１３】
画像データに基づく画像を印刷する印刷ジョブ、画像データを受信する受信ジョブ、画像データを送信する送信ジョブを実行可能な画像処理装置の制御方法であって、
前記印刷ジョブ、前記受信ジョブ、前記送信ジョブをそれぞれジョブ種毎に管理する管理工程と、
前記印刷ジョブ、前記受信ジョブ、前記送信ジョブのそれぞれを指定する指定部と、前記管理工程で管理しているジョブの一覧をジョブ種毎にＷｅｂブラウザで表示させるためのＷｅｂページを生成する生成工程と、
前記生成工程で生成したＷｅｂページを送信する送信工程と
を有することを特徴とする画像処理装置の制御方法。
【請求項１４】
請求項１１乃至１３のいずれか１項に記載の画像処理装置の制御方法をコンピュータによって実行するためのプログラム。
【手続補正３】
【補正対象書類名】明細書
【補正対象項目名】０００７
【補正方法】変更
【補正の内容】
【０００７】
【課題を解決するための手段】
上記目的を達成するために、上記目的を達成するために、本発明の画像処理装置は以下の構成を備える。
【手続補正４】
【補正対象書類名】明細書
【補正対象項目名】０００８
【補正方法】変更
【補正の内容】
【０００８】
即ち、本発明の画像処理装置は、画像データを蓄積するための蓄積手段を有する画像処理装置であって、前記蓄積手段を複数のボックスに区分けし、複数のボックス毎にボックス名称情報及び当該ボックスに蓄積された画像データに関する情報を管理する管理手段と、前記管理手段で管理している情報に従って前記複数のボックスの一覧をボックス名称とともにＷｅｂブラウザで表示させるための第１のＷｅｂページ及び前記複数のボックスの一覧に含まれるボックスの一つに蓄積されている画像データの一覧を示す第２のＷｅｂページを生成する生成手段と、前記生成手段で生成した前記第１のＷｅｂページ及び前記第２のＷｅｂページを送信する送信手段とを有する。
【手続補正５】
【補正対象書類名】明細書
【補正対象項目名】０００９
【補正方法】変更
【補正の内容】
【０００９】
また、本発明の画像処理装置は、画像を印刷する印刷手段を有する画像処理装置であって、前記印刷手段で印刷させるための印刷ジョブを複数蓄積する蓄積手段と、前記蓄積手段で蓄積している複数の印刷ジョブの一覧を、各印刷ジョブの状態情報とともにＷｅｂブラウザで表示させるためのＷｅｂページであって、前記各印刷ジョブの状態情報の変更を、Ｗｅｂブラウザを介して指示可能なＷｅｂページを生成する生成手段と、前記生成手段で生成したＷｅｂページを送信する送信手段と、前記送信手段で送信したＷｅｂページに基づく指示を受信し、前記蓄積手段で蓄積している印刷ジョブの状態を変更する手段とを有する。
【手続補正６】
【補正対象書類名】明細書
【補正対象項目名】００１０
【補正方法】変更
【補正の内容】
【００１０】
また、本発明の画像処理装置は、画像データに基づく画像を印刷する印刷ジョブ、画像データを受信する受信ジョブ、画像データを送信する送信ジョブを実行可能な画像処理装置であって、前記印刷ジョブ、前記受信ジョブ、前記送信ジョブをそれぞれジョブ種毎に管理する管理手段と、前記印刷ジョブ、前記受信ジョブ、前記送信ジョブのそれぞれを指定する指定部と、前記管理手段で管理しているジョブの一覧をジョブ種毎にＷｅｂブラウザで表示させるためのＷｅｂページを生成する生成手段と、前記生成手段で生成したＷｅｂページを送信する送信手段とを有する。
【手続補正７】
【補正対象書類名】明細書
【補正対象項目名】００１１
【補正方法】削除
【補正の内容】
【手続補正８】
【補正対象書類名】明細書
【補正対象項目名】０１６１
【補正方法】変更
【補正の内容】
【０１６１】
【発明の効果】
以上のように、請求項１、１１に記載の発明によれば、画像処理装置内のボックスの一覧及び指定したボックスに蓄積された画像データを、特別なソフトウェアを用意することなくＷｅｂブラウザを利用して、容易に参照可能となる。
【手続補正９】
【補正対象書類名】明細書
【補正対象項目名】０１６２
【補正方法】変更
【補正の内容】
【０１６２】
また、請求項５、１２に記載の発明によれば、画像処理装置で実行される印刷ジョブを、特別なソフトウェアを用意することなくＷｅｂブラウザを利用して、容易に操作可能となる。
【手続補正１０】
【補正対象書類名】明細書
【補正対象項目名】０１６３
【補正方法】変更
【補正の内容】
【０１６３】
また、請求項８、１３に記載の発明によれば、画像処理装置で実行される印刷ジョブ、受信ジョブ、送信ジョブの一覧を、特別なソフトウェアを用意することなくＷｅｂブラウザを利用して、ジョブ種毎に区別して容易に参照可能となる。
【手続補正１１】
【補正対象書類名】明細書
【補正対象項目名】０１６４
【補正方法】削除
【補正の内容】
【手続補正１２】
【補正対象書類名】明細書
【補正対象項目名】０１６５
【補正方法】削除
【補正の内容】
【手続補正１３】
【補正対象書類名】明細書
【補正対象項目名】０１６６
【補正方法】削除
【補正の内容】
【手続補正１４】
【補正対象書類名】明細書
【補正対象項目名】０１６７
【補正方法】削除
【補正の内容】
【手続補正１５】
【補正対象書類名】明細書
【補正対象項目名】０１６８
【補正方法】削除
【補正の内容】
【手続補正１６】
【補正対象書類名】明細書
【補正対象項目名】０１６９
【補正方法】削除
【補正の内容】
【手続補正１７】
【補正対象書類名】明細書
【補正対象項目名】０１７０
【補正方法】削除
【補正の内容】